(57)【要約】【課題】保持枠の被写体側の端部における光漏れを抑制する。【解決手段】半透過ミラー２０３を保持する半透過ミラー保持枠２０４は、保持枠回動軸３２を回転中心として、被写体光を半透過ミラー２０３で撮像素子３０２とファインダユニット１１３とへ分離させるミラーダウン位置と、保持枠２０４が撮影光軸４００から退避するミラーアップ位置との間を回動する。遮光板２０５は、ミラーダウン状態において、半透過ミラー２０３を透過するＡＥ・ＡＦ光路（撮影光路）から退避し、ミラーアップ状態では、保持枠２０４の裏面に対向して位置して撮影光軸４００から退避する。保持枠２０４の回動の全行程において、保持枠２０４の端部２１の第１の曲面２０４ｇと遮光板２０５の端部２２の第２の曲面２０５ｂとが遮光板回動軸３１に直交する方向に常に重なる。【選択図】図８
2017053990.tif 000002
【特許請求の範囲】
【請求項１】
半透過ミラーと、
前記半透過ミラーを保持し、被写体光を前記半透過ミラーで撮像素子とファインダ光学系とへ分離させる第１の位置と撮影光路から退避する第２の位置との間を回動する保持枠と、
前記保持枠の被写体側の端部に設けられた回動軸に回動自在に支持され、前記保持枠が前記第１の位置にあるときには撮影光路から退避すると共に、前記保持枠が前記第２の位置にあるときには前記保持枠に重なる遮光部材と、を有する撮像装置であって、
前記保持枠の被写体側の前記端部には、前記回動軸を中心とする略円弧形状の第１の曲面が形成され、
前記遮光部材の被写体側の端部には、前記回動軸を中心とする略円弧形状の第２の曲面が形成され、
前記第１の位置と前記第２の位置との間の前記保持枠の回動の全行程において、前記第１の曲面と前記第２の曲面とは、少なくとも一部同士が前記回動軸に直交する方向に重なることを特徴とする撮像装置。
【請求項２】
前記第１の曲面は凸曲面であり、前記第２の曲面は凹曲面であることを特徴とする請求項１に記載の撮像装置。
【請求項３】
前記第１の曲面と前記第２の曲面とは、前記回動軸を中心とする略同心円上に形成されることを特徴とする請求項１または２に記載の撮像装置。
【請求項４】
前記第１の位置と前記第２の位置との間の前記保持枠の回動の全行程において、前記保持枠の被写体側の前記端部の先端位置の軌跡の範囲内に、前記遮光部材の被写体側の前記端部の先端位置が収まることを特徴とする請求項１〜３のいずれか１項に記載の撮像装置。
【請求項５】
前記遮光部材は、前記保持枠が前記第２の位置にあるときに前記保持枠と対向しない側の面である裏面として、主面である第１面と前記遮光部材の被写体側の前記端部に形成される第２面とを少なくとも有し、
前記保持枠が前記第２の位置にあるときに、撮影光軸と前記第１面とが成す鋭角よりも前記撮影光軸と前記第２面とが成す鋭角の方が大きいことを特徴とする請求項１〜４のいずれか１項に記載の撮像装置。
【請求項６】
前記保持枠の被写体側の前記端部は、前記保持枠の厚み方向において前記遮光部材に対向する側へ延設される延設部を有することを特徴とする請求項１〜５のいずれか１項に記載の撮像装置。
【請求項７】
前記第１の曲面の少なくとも一部は前記延設部に形成されることを特徴とする請求項６に記載の撮像装置。
【発明の詳細な説明】
【技術分野】
【０００１】
本発明は、被写体光を半透過ミラーで撮像素子とファインダ光学系とへ分離させる機構を有する撮像装置に関する。
【背景技術】
【０００２】
従来、被写体光を半透過ミラーで撮像素子とファインダ光学系とへ分離させる撮像装置が知られている。例えば、光学ファインダで被写体確認ができると同時に撮像素子をＡＥ・ＡＦセンサとして使用できるデジタル一眼レフカメラでは、撮影光路中に配置した半透過ミラーで、一部の光を撮像素子へ透過させ、残りの一部の光を反射させてファインダへ導く。この構成においては、ミラーアップ時に、ファインダからの入射光が半透過ミラーを介してミラーボックス内に入り、撮像素子に入射してフレアが発生する問題がある。従来のサブミラーを備えたカメラにおいては、ミラーアップ時に、サブミラーが半透過ミラーを保持する保持枠の開口部を塞ぐことでフレアの問題を解決していたが、サブミラーが備えられていないカメラでは新たな対策が必要である。
【０００３】
上記の対策として、特許文献１には、半透過ミラーの保持枠の先端を回動中心として回動する遮光部材が、ミラーアップ位置では保持枠に接近する位置に駆動され、ミラーダウン位置ではＡＦ・ＡＥ光路から退避する位置に駆動される構成が提案されている。
【先行技術文献】
【特許文献】
【０００４】
【特許文献１】特開平１１−２９５８１０号公報
【発明の概要】
【発明が解決しようとする課題】
【０００５】
ところで、ミラーダウン時の撮像素子によるＡＥ・ＡＦエリアを広くするためには、保持枠における、半透過ミラーのＡＥ・ＡＦ光路が透過する開口部を広く確保する必要がある。一方、撮像時であるミラーアップ時にファインダからの光が撮像素子に入光しないようにするため、遮光部材は開口部を確実に遮光できる形状とする必要がある。開口部を広くするに伴い遮光部材の面積も増やすことが考えられるが、ミラーボックス内はスペースの制約があり、容易ではない。
【０００６】
しかしながら、特許文献１に開示された従来技術では、保持枠と遮光部材とが連動して駆動することは記載されているものの、保持枠と遮光部材との具体的な関係は記載されておらず、遮光に関する詳細な検討がなされていない。
【０００７】
また、ファインダからの逆入光が、保持枠と遮光部材との回動機構付近から漏れやすいという問題がある。特に、保持枠は、撮影動作時の位置とＡＥ・ＡＦ動作時の位置とを執るが、いずれの位置においても光漏れを防止する必要がある。これら遮光のための対策を考察する上で、カメラ内の省スペースを考慮するのが望ましい。特に、保持枠より被写体側には交換レンズが収まる領域があるため、この領域を浸食するのは極力避けたい。
【０００８】
本発明の目的は、保持枠の被写体側の端部における光漏れを抑制することにある。
【課題を解決するための手段】
【０００９】
上記目的を達成するために本発明は、半透過ミラーと、前記半透過ミラーを保持し、被写体光を前記半透過ミラーで撮像素子とファインダ光学系とへ分離させる第１の位置と撮影光路から退避する第２の位置との間を回動する保持枠と、前記保持枠の被写体側の端部に設けられた回動軸に回動自在に支持され、前記保持枠が前記第１の位置にあるときには撮影光路から退避すると共に、前記保持枠が前記第２の位置にあるときには前記保持枠に重なる遮光部材と、を有する撮像装置であって、前記保持枠の被写体側の前記端部には、前記回動軸を中心とする略円弧形状の第１の曲面が形成され、前記遮光部材の被写体側の端部には、前記回動軸を中心とする略円弧形状の第２の曲面が形成され、前記第１の位置と前記第２の位置との間の前記保持枠の回動の全行程において、前記第１の曲面と前記第２の曲面とは、少なくとも一部同士が前記回動軸に直交する方向に重なることを特徴とする。
【発明の効果】
【００１０】
本発明によれば、保持枠の被写体側の端部における光漏れを抑制することができる。
【図面の簡単な説明】
【００１１】
【図１】撮像装置の模式図である。
【図２】カメラ本体の外観斜視図である。
【図３】閃光ユニットが発光位置にあるカメラ本体の外観斜視図である。
【図４】カメラ本体の機能構成を示すブロック図である。
【図５】ミラーボックスユニットの斜視図である。
【図６】ミラーボックスの内側の構造及び撮像素子の側面図である。
【図７】ミラーユニットの斜視図である。
【図８】ミラーダウン、アップ状態のミラーユニットの縦断面図である。
【図９】ミラーダウン、アップ状態の変形例のミラーユニットの縦断面図である。
【発明を実施するための形態】
【００１２】
以下、本発明の実施の形態を図面を参照して説明する。
【００１３】
図１は、本発明の一実施の形態に係る撮像装置の模式図である。この撮像装置は、デジタル一眼レフカメラとして構成される。なお、本実施の形態では、レンズ着脱可能な一眼レフカメラを例示するが、これに限定されるものではない。すなわち本発明が適用される撮像装置は、被写体光を半透過ミラーで撮像素子とファインダ光学系とへ分離させる機構を有する装置であればよく、呼称は問わない。
【００１４】
このカメラはカメラ本体１００に、交換可能な交換レンズユニット５００が装着されて成る。カメラ本体１００は、後述するように、ミラーボックス２００（図５参照）の下に、いわゆる位相差ＡＦユニットを備えておらず、位相差ＡＦユニットに被写体光を導光するための反射鏡も備えていない。ミラーボックス２００において、半透過ミラー２０３を備えるミラーユニット１１２は、光軸を撮影光軸４００とする交換レンズユニット５００等の撮影光学系を透過してきた被写体光の一部を透過して撮像素子３０２に導光させる。ミラーユニット１１２は、残りの被写体光を反射させてファインダ光学系としてのファインダユニット１１３へ導き、撮影者が被写体光を観察できるようになっている。図１では、後述する遮光部材である遮光板２０５等の図示を省略している。
【００１５】
図２（ａ）、（ｂ）は、カメラ本体１００の外観斜視図である。図３は、閃光ユニットが発光位置にあるカメラ本体１００の外観斜視図である。図４は、カメラ本体１００の機能構成を示すブロック図である。
【００１６】
まず、図４に示すように、カメラマイコン１０は、閃光制御回路１１、操作検出回路１２、撮影条件制御回路１３、モータ制御回路１４、撮像素子駆動回路１５、データ処理回路１６、記録処理回路１７及び再生処理回路１８を制御する。
【００１７】
カメラ本体１００は上面外装カバー１０１及び背面外装カバー１１１を有する。上面外装カバー１０１に設けられた主電源スイッチ１０７（図２（ｂ））がオン位置へ操作されると、カメラマイコン１０は所定のシーケンスによりカメラを起動する。カメラマイコン１０は操作検出回路１２により操作部材の操作を検出すると、対応する設定を行う。例えば、撮影モードダイヤル１０８が操作され撮影モードが選択されると、カメラマイコン１０は、選択された撮影モードに対応したシャッタースピードと絞りとの組み合わせを決定するプログラム線図を設定する。カメラマイコン１０はまた、電子ダイヤル１０５が操作されると、露出補正などの設定を行い、ＩＳＯ感度設定ボタン１０６が操作されると、ＩＳＯ感度条件を設定する。
【００１８】
撮影モードダイヤル１０８で自動設定モードが選択された場合における、一連の撮影動作を述べる。操作検出回路１２によりレリーズボタン１０４が第一の押し込み位置まで押し込まれたことが検知されると、カメラマイコン１０は撮影条件制御回路１３を駆動する。そしてカメラマイコン１０は、適切なシャッタースピードと絞り値を決定するために、ファインダユニット１１３近辺に設けられた不図示のＡＥセンサにより被写体光を測光する。なお、半透過ミラー２０３を透過して撮像素子に入射した被写体光を測光するようにしてもよい。
【００１９】
得られた測光結果から被写体光が所定の輝度よりも低いと判断されると、カメラマイコン１０はモータ制御回路１４を駆動し、閃光ユニット１０３を発光位置まで移動させるべく不図示のモータを駆動する。すると閃光ユニット１０３は図３に示す位置まで回動する。操作検出回路１２によりレリーズボタン１０４が第二の押し込み位置まで押し込まれたことが検知されると、撮像素子３０２に被写体光が到達するように、カメラマイコン１０はモータ制御回路１４を駆動する。するとミラーユニット１１２は所定の位置に退避する。ミラーユニット１１２の退避が完了すると、カメラマイコン１０は閃光制御回路１１を駆動し、所定のタイミングで閃光ユニット１０３を発光させ被写体に適切な光を照射させる。
【００２０】
撮像素子３０２に被写体光が到達した状態で、カメラマイコン１０は撮像素子駆動回路１５を駆動し、光電変換により被写体光を電子データとして取得する。取得された電子データはデータ処理回路１６により所定の増幅、変換、補正などのデータ処理を施され、撮影画像データとなる。カメラマイコン１０は、記録処理回路１７を駆動することで、得られた撮影画像データを不図示のメモリに記録する。撮影者が不図示の画像再生ボタンを操作すると、カメラマイコン１０は再生処理回路１８を駆動し、背面側に設けられた表示装置１１０に、メモリに保存されている撮影画像を表示させる。アクセサリーシュー１０９には、外部ストロボなどの外部アクセサリーが装着できる。装着された外部アクセサリーが接点部でカメラ内部の回路と接続されることで、回路と外部アクセサリーとが通信できる。
【００２１】
図５は、ミラーボックス２００を含むミラーボックスユニットの斜視図である。ミラーボックス２００の側面には、ミラーユニット１１２を駆動するミラー駆動ユニット２０１が固定されている。ミラー駆動ユニット２０１は、モータ、不図示のギア、バネ、駆動レバー等で構成されている。ミラーボックス２００の上部にファインダユニット１１３（図１）が固定される。このファインダユニット１１３に向けて被写体光の一部を反射させるミラーユニット１１２は、半透過ミラー２０３、半透過ミラー保持枠２０４、遮光板２０５、後述する付勢トグルバネ２０６（図６（ａ）等参照）から構成されている。半透過ミラー２０３は、半透過ミラー保持枠２０４（以下、「保持枠２０４」と略記することもある）に接着固定されている。ミラーボックス２００の内壁には有害反射光防止のために、公知の構成の反射防止シート２０７が貼り付けられている。なお、反射防止シート２０７は必須でなく、反射防止塗装等の反射防止構造を採用してもよい。ミラーボックス２００の開口部上端には、弾性部材２０８が固定されている。ミラーユニット１１２は退避位置に到達したとき、弾性部材２０８に当接する。弾性部材２０８はスポンジやゴムなどの弾性材料で構成され、ミラーユニット１１２が退避位置に駆動された際の衝撃を緩和する。
【００２２】
図６（ａ）、（ｂ）は、ミラーボックス２００の内側の構造及び撮像素子３０２の側面図である。半透過ミラー２０３が固定された保持枠２０４は、保持枠回動軸３２を回転中心として、図６（ａ）に示す第１の位置と図６（ｂ）に示す第２の位置との間を回動自在に構成される。保持枠回動軸３２はミラーボックス２００に軸支される。第１の位置（以降、ミラーダウン位置という）は、撮影者が被写体光を観察する場合に執られ、被写体光を半透過ミラー２０３で撮像素子３０２とファインダユニット１１３とへ分離させる位置である。第２の位置（以降、ミラーアップ位置という）は、撮影者が撮影を行う際に執られ、保持枠２０４が撮影光軸４００から退避する位置である。なお、保持枠２０４がミラーダウン位置、ミラーアップ位置にあるときのミラーボックス２００の各構成要素の状態を、それぞれミラーダウン状態、ミラーアップ状態と呼ぶ。
【００２３】
保持枠２０４は、駆動軸２０４ｂを不図示のミラーユニット駆動レバーとミラーユニット駆動バネとにより駆動されることで、ミラーダウン位置とミラーアップ位置との間を回動し、且つそれぞれの位置で安定保持可能に構成されている。遮光板２０５は、ミラーユニット１１２の動作への影響を少なくするため、軽量で強度のある樹脂で形成されている。保持枠２０４及び遮光板２０５の表裏の呼称については、ミラーアップ位置（図６（ｂ））での上側を表、下側を裏とする。従って、ミラーアップ位置では、保持枠２０４の裏面と遮光板２０５の表面とが対向する。遮光板２０５の表裏には反射防止シートが貼り付けられており、合焦時及び撮影時の有害光の反射が低減されている。なお、遮光板２０５の反射防止の構成は、シートに限るものでなく、反射防止塗装や、反射防止のための形状的特徴であっても良い。
【００２４】
保持枠２０４の被写体側の端部２１には、遮光板２０５の回動中心となる遮光板回動軸３１が設けられる。遮光板回動軸３１に遮光板２０５が回動自在に支持される。従って、遮光板２０５は遮光板回動軸３１を中心に保持枠２０４に対して相対的に回動する。保持枠２０４が保持枠回動軸３２を中心に回動するのに伴って遮光板２０５も回動する。保持枠２０４の側面には、ミラーボックス２００の内面に設けられたミラー位置決め部３０３に当接するミラー位置決め当接面２０４ｄが設けられている。ミラー位置決め部３０３にミラー位置決め当接面２０４ｄが当接することで、保持枠２０４のミラーダウン位置が規定される。これにより、保持枠２０４に保持された半透過ミラー２０３が所定の角度に維持される。遮光板２０５は、図7で後述するように、付勢トグルバネ２０６により、ミラーダウン状態では、保持枠２０４に対して開く方向に付勢され、ミラーアップ状態では保持枠２０４に対し閉じる方向に付勢される。
【００２５】
撮像素子３０２は、得られた画像データを利用して、公知技術であるコントラストＡＦや、撮像面位相差ＡＦ等で焦点調節動作を行うと同時に、ＡＥ動作を行うことも可能である。本実施の形態において、ＡＥ・ＡＦ動作はミラーダウン状態で行われるため、遮光板２０５は、ミラーダウン状態において、半透過ミラー２０３を透過するＡＥ・ＡＦ光路（撮影光路）から退避した位置に回動駆動される。また、撮影時のミラーアップ状態では、遮光板２０５は保持枠２０４の裏面に対向して重なるように位置し、撮影光路から退避する位置に回動される。
【００２６】
図７（ａ）、（ｂ）は、ミラーユニット１１２の斜視図である。付勢トグルバネ２０６の一方の腕は保持枠２０４のバネ掛け軸２０４ｆに係合しており、他方の腕は遮光板２０５のバネ掛け軸２０５ａに係合している。付勢トグルバネ２０６は、バネ掛け軸２０４ｆとバネ掛け軸２０５ａとをそれぞれの軸間が離れる方向に付勢している。付勢トグルバネ２０６の付勢力によって、遮光板２０５はミラーダウン位置では、保持枠２０４に対して開く方向に付勢される。しかし、保持枠２０４がミラーダウン位置からミラーアップ位置まで回動する過程で、一旦、付勢トグルバネ２０６の両腕の間隔が狭まる状態を経て再び拡がると共に、バネ掛け軸２０４ｆとバネ掛け軸２０５ａとの上下の位置関係が逆転する。保持枠２０４がミラーアップ位置に到達すると、遮光板２０５が保持枠２０４に対向すると共に、付勢トグルバネ２０６からの付勢力によって遮光板２０５は保持枠２０４に対し閉じる方向に付勢される。
【００２７】
保持枠２０４は開口部２０４ｅを有しており、ミラーダウン位置では、開口部２０４ｅから透過した被写体光が撮像素子３０２で受光されて、ＡＥ・ＡＦ動作に使用される。開口部２０４ｅによって被写体光の透過範囲が制限されるため、開口部２０４ｅのサイズにより、撮像素子３０２上でのＡＥ・ＡＦ可能な範囲が決定される。
【００２８】
図８（ａ）、（ｂ）は、ミラーユニット１１２の縦断面図であり、図８（ａ）はミラーダウン状態、図８（ｂ）はミラーアップ状態をそれぞれ示している。保持枠２０４及び遮光板２０５は、それぞれ、被写体側の端部に遮光形状を有している。具体的には、保持枠２０４の被写体側の端部２１と遮光板２０５の被写体側の端部２２とが協働して、保持枠２０４の端部２１付近における光漏れを抑制する遮光機能を果たす。これについて詳述する。
【００２９】
保持枠２０４の端部２１は、保持枠２０４の厚み方向において裏側へ延設される延設部２１ａを有する。延設部２１ａを設けたことで端部２１の断面積が大きくなっており、端部２１の強度が向上している。端部２１には、遮光板回動軸３１を中心とする略円弧形状の第１の曲面２０４ｇが形成される。第１の曲面２０４ｇは側面視で凸曲面である。遮光板２０５の端部２２には、遮光板回動軸３１を中心とする略円弧形状の第２の曲面２０５ｂが形成される。第２の曲面２０５ｂは側面視で凹曲面である。第１の曲面２０４ｇと第２の曲面２０５ｂとは、遮光板回動軸３１を中心とする互いに半径が異なる略同心円上に形成され、両者は所定の隙間を保って近接対向している。
【００３０】
ミラーダウン位置とミラーアップ位置との間の保持枠２０４の回動の全行程において、第１の曲面２０４ｇと第２の曲面２０５ｂとは、少なくとも一部同士が遮光板回動軸３１に直交する方向（法線方向）に常に重なるようになっている。すなわち、ミラーダウン状態（図８（ａ））では、曲面２０４ｇ、２０５ｂは多くの領域で対向しており、ミラーアップ状態（図８（ｂ））となっても、曲面２０４ｇ、２０５ｂが対向する重畳領域が確保されている。通常、ミラーダウン状態（図８（ａ））においては、撮像素子３０２には保持枠２０４の開口部２０４ｅを透過する、ＡＥ・ＡＦ光路の光線のみが受光させることが望ましく、ファインダユニット１１３からの逆入光が撮像素子３０２へ入射するのは好ましくない。しかし曲面２０４ｇ、２０５ｂが対向して遮光板回動軸３１の法線方向に重なることで、保持枠２０４の端部２１付近の遮光が確実となる。これにより、ミラーダウン状態では、ＡＥ・ＡＦに影響を及ぼすような有害光が遮光される。
【００３１】
ミラーアップ状態（図８（ｂ））においては、遮光板２０５はファインダユニット１１３からの光が保持枠２０４の開口部２０４ｅを透過して撮像素子３０２へ入射するのを防止するために、保持枠２０４の裏面に位置して遮光する。このときにも、曲面２０４ｇ、２０５ｂが重なることで、ファインダユニット１１３から入射する有害光が、保持枠２０４の端部２１付近から漏れることを防ぐので、撮像素子３０２への有害光が遮光される。
【００３２】
曲面２０４ｇ、２０５ｂは略同心円上にあり、しかも曲面２０４ｇ、２０５ｂの隙間は、遮光板回動軸３１を中心とする円周方向においてほぼ均等である。従って、保持枠２０４に対する遮光板２０５の回動は阻害されない。ところで、保持枠２０４の回動の全行程において、保持枠回動軸３２を中心とする保持枠２０４の端部２１の先端位置の軌跡Ｌが、図６（ａ）に示される。保持枠２０４の回動の全行程において、遮光板２０５の端部２２の先端は軌跡Ｌを超えることがなく、軌跡Ｌよりも保持枠回動軸３２の側（内側）に収まっている。これにより、交換レンズユニット５００の配置領域が侵されることはない。
【００３３】
本実施の形態によれば、保持枠２０４の回動の全行程において、保持枠２０４の端部２１の第１の曲面２０４ｇと遮光板２０５の端部２２の第２の曲面２０５ｂとが遮光板回動軸３１に直交する方向に常に重なる。これにより、保持枠２０４の被写体側の端部２１における光漏れを抑制することができる。従って、ミラーダウン位置、ミラーアップ位置のいずれの位置でも、ファインダユニット１１３からの逆入光の撮像素子３０２へ入射を抑制でき、ＡＥ・ＡＦや撮像に影響を与えないようにすることができる。
【００３４】
また、曲面２０４ｇ、２０５ｂは、遮光板回動軸３１を中心とする凸曲面、凹曲面であるので、保持枠２０４及び遮光板２０５の被写体側の各端部をコンパクトに構成できる。なお、保持枠２０４の被写体側の端部２１における光漏れを抑制する効果を求めることに限れば、曲面２０４ｇ、２０５ｂの凸曲面、凹曲面の関係を反対にしてもよい。曲面２０４ｇ、２０５ｂの凸曲面、凹曲面は連続的な円弧曲面に限るものではなく、複数の平面で構成された凸多角形、凹多角形の形状で構成してもよい。
【００３５】
また、曲面２０４ｇ、２０５ｂは、遮光板回動軸３１を中心とする仮想円上に含まれ、各仮想円は略同心円である。これにより、保持枠２０４の回動時における曲面２０４ｇ、２０５ｂ同士の重なり具合（隙間）の場所によるばらつきを小さくでき、遮光効果を高めることができる。
【００３６】
また、保持枠２０４の回動の全行程において、保持枠２０４の端部２１の先端位置の軌跡Ｌの範囲内に、遮光板２０５の端部２２の先端位置が収まるので、省スペースを図り、交換レンズユニット５００の収容領域を侵さないで済む。
【００３７】
また、保持枠２０４の端部２１に延設部２１ａを設けたので、端部２１の肉厚を厚くして保持枠２０４の剛性を高めることができる。しかも、第１の曲面２０４ｇの少なくとも一部は延設部２１ａに形成されるので、延設部２１ａが第１の曲面２０４ｇを兼ねてコンパクト化に資する。
【００３８】
なお、遮光板２０５の端部２２の形状に関し、本実施の形態では、端部２２の下面は第２の曲面２０５ｂと同心の凸曲面に形成される。しかしこれは一例であり、他の形状を採用可能である。これに関する変形例を図９（ａ）、（ｂ）で説明する。
【００３９】
図９（ａ）、（ｂ）は、変形例のミラーユニット１１２の縦断面図であり、図９（ａ）はミラーダウン状態、図９（ｂ）はミラーアップ状態をそれぞれ示している。遮光板２０５の端部２２の裏面には、斜面２０５ｄが形成されている。これ以外の構成は図１〜図８で説明したのと同様である。遮光板２０５の裏面のうち、端部２２以外の領域の裏面が平坦な主面２０５ｃである。斜面２０５ｄも平坦であるが、主面２０５ｃとは角度が異なっている。
【００４０】
すなわち、ミラーアップ状態（図９（ｂ））において、側面視で主面２０５ｃと撮影光軸４００とが成す鋭角を角度θ１とし、斜面２０５ｄと撮影光軸４００とが成す鋭角を角度θ２とする。大小関係としては、角度θ１よりも角度θ２の方が大きい。図８に例示したような円弧状の凸曲面では有害な反射光が発生しやすいが、図９に示した変形例では、保持枠２０４の被写体側の端部２１付近の裏側での有害な反射光を抑制することができる。
【００４１】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４２】
２１、２２  端部
３１  遮光板回動軸
２０３  半透過ミラー
２０４  半透過ミラー保持枠
２０４ｇ  第１の曲面
２０５ｂ  第２の曲面
２０５  遮光板
４００  撮影光軸
【図１】
2017053990.tif 000003
【図２】
2017053990.tif 000004
【図３】
2017053990.tif 000005
【図４】
2017053990.tif 000006
【図５】
2017053990.tif 000007
【図６】
2017053990.tif 000008
【図７】
2017053990.tif 000009
【図８】
2017053990.tif 000010
【図９】
2017053990.tif 000011